(57)【要約】【課題】ロータリ耕耘装置の後部を覆うリヤカバーを、自動ロック位置、固定位置、及びフリー状態を兼ねる摩擦保持位置に切換えることができるリヤカバー調節手段を提供する。【解決手段】ロータリ耕耘装置１のリヤカバー２０は、吊りロッド２７を介してリヤカバー調節手段３０を設けた主カバー１８と連結しており、任意の位置で固定できる。リヤカバー調節手段３０は、スプリング３５、３７により付勢された操作ピン３３とロックピン３２とを有しており、ロックピン３２は操作ピン３３と独立して作動することができる。リヤカバー調節手段３０は、リヤカバー２０を上方移動を許容しかつ下方移動を阻止する自動ロック位置と、上下方向ともに揺動を阻止する固定位置と、リヤカバー２０の重量が作用する状態では保持しかつ該重量の作用が開放すると自由に上下動するフリー状態となる摩擦保持位置とに切換えることができる。【選択図】図３
2008043230.tif 000002
【特許請求の範囲】
【請求項１】
ロータリ耕耘部の上方を覆う主カバーと、
該主カバーに揺動自在に連結され前記ロータリ耕耘部の後方を覆うリヤカバーと、
前記主カバー及び前記リヤカバーのいずれか一方に連結されると共に他方に摺動自在に支持される吊りロッドと、を備えてなるロータリ耕耘装置において、
前記吊りロッドを摺動自在に支持する部分に配置され、前記リヤカバーを、上方移動を許容しかつ下方移動を阻止する自動ロック位置と、上下方向ともに摺動を阻止する固定位置と、前記リヤカバーの重量が作用する状態では保持しかつ該重量の作用を開放すると自由に上下動するフリー状態となる摩擦保持位置と、に切換え得るリヤカバー調節手段を備えた、
ことを特徴とするロータリ耕耘装置。
【請求項２】
前記ロータリ耕耘部のトップマストに操作手段を設け、該操作手段を前記リヤカバー調節手段に連動して、前記操作手段の操作により前記リヤカバー調節手段を操作してなる、
請求項１記載のロータリ耕耘装置。
【発明の詳細な説明】
【技術分野】
【０００１】
本発明は、トラクタ等の走行機体に装着されるロータリ耕耘装置に係り、詳しくは、ロータリの後方を覆うリヤカバーの支持構造に関する。
【背景技術】
【０００２】
従来、ロータリ耕耘装置は、駆動力を受けて回転する爪軸上に多数の耕耘爪が取り付けられたロータリ耕耘部と、ロータリ耕耘部を覆うロータリ耕耘カバーを備えており、圃場面の耕耘に使用されている。ロータリ耕耘カバーは、ロータリ機枠に固定されてロータリ耕耘部の上方を覆う主カバーと、主カバーの後端側に上下方向に揺動自在に連結されてロータリ耕耘部の後方を覆うリヤカバーとを有しており、ロータリ耕耘部にて耕耘された耕耘土の飛散防止などをしている。
【０００３】
リヤカバーは、耕耘土の飛散防止以外に、種々の目的に使用される。例えば、代掻き時等のようにリヤカバーを最下げ状態で固定して、耕耘と同時に圃場面を押圧して耕耘土を均平に仕上げたり、ロータリ耕耘装置の後方に畝立て機を連結して、耕耘土の土寄せにより畝立てをする際には、リヤカバーは中段に固定して使用される。また、ロータリ耕耘部に付着した泥を取除くなどの清掃整備時では、清掃整備の邪魔とならないようリヤカバーを上段に固定して使用される。さらに、ロータリ耕耘装置本体をトラクタのヒッチから外して格納庫などに収容する際には、リヤカバーを本体の回止めとして使用する場合もある。
【０００４】
これらの目的に使用されるリヤカバーは、任意の揺動位置で固定できる連結機構により主カバーに連結支持されている。連結機構は、主カバーに設けた取付ブラケットにリヤカバーに連結する吊りロッドを嵌挿支持し、吊りロッドに形成した係合孔に取付ブラケットより係合ピンを進退させて係合して、リヤカバーの位置を固定できるように構成されている。本連結機構は、ロータリ耕耘装置のトップマストに取付けた操作具とワイヤを介して連結しており、トラクタ上の作業者により各耕耘作業に応じた操作が可能となっている（特許文献１）。
【０００５】
また、前記連結機構を改良し、リヤカバーの移動を完全に止めるロック状態と、リヤカバーの移動を完全に自由とするフリー状態と、一方向の移動を許容するオートハンガー状態と、に保持できるものがある。係る連結機構は、多数の係合凹部が形成された吊りロッドに、先端に傾斜面を形成した係合ピンが係合することにより、リヤカバーを各位置で固定できると共に、リヤカバーの一方向の動きを許容しながら他方向の動きを阻止できる構造となっている（例えば、特許文献２、及び特許文献３）。
【０００６】
【特許文献１】特開平９−１６８３０４号公報
【特許文献２】特許第３４３１９７９号公報
【特許文献３】特開２００４−１６０８７号公報
【発明の開示】
【発明が解決しようとする課題】
【０００７】
しかし、上記特許文献１に記載されるロータリ耕耘装置は、例えば、下方位置にあるリヤカバーを上昇させた位置で固定する場合には、作業者によりリヤカバーを持上げ、吊りロッドに形成した係合孔と係合ピンとの位置合わせをした後、リヤカバーの位置を維持しながら片手でトップマストに取付けた操作具を操作して係合孔に係合ピンを係合させる必要がある。このため、各作業を片手により同時に行わなければならず、リヤカバーの上昇固定作業を困難にしていた。また、耕耘土の均平をする際には、上方位置で固定されたリヤカバーをフリー状態、或いは下方位置に切換えるが、前記係合孔内に挿入された係合ピンには、リヤカバーの重量が作用しており、係合ピンの抜出し操作するにはリヤカバーの自重に抗する大きな力が必要となり、係合ピンの抜出し操作具を強固な構造にせざるを得なかった。
【０００８】
また、上記特許文献２及び３に記載されるロータリ耕耘装置では、先端に傾斜面を形成した係合ピンの作用により、リヤカバーを下方位置から上方へ向けての移動を許容しているが、特に、特許文献２に記載されるロック装置では、リヤカバーの移動を固定するロック位置と、リヤカバーの移動を完全に自由とするフリー位置と、リヤカバーの一方向の移動を許容するオートハンガー状態との３態様に設定することは可能であるものの、ロック位置及びオートハンガー状態からフリー位置に切換えるモードを有しておらず、上述抜出し操作具と同様に、リヤカバーの重量に抗してロック装置を操作しなければならず、ロック装置を強固な構造にする必要があった。また、特許文献３に記載される後部リヤカバー支持装置では、リヤカバーの揺動を自由にするフリー状態と、リヤカバーの揺動を固定するロック状態と、リヤカバーの上方移動のみを固定するセミロック状態との３態様に設定することは可能であるが、ロック状態及びセミロック状態からフリー状態に切換えるモードを有しておらず、上記と同様の課題を有している。
【０００９】
そこで、本発明は、リヤカバーに連結する吊りロッドの固定位置を調節するリヤカバー調節手段を設け、リヤカバーを自動ロック位置、固定位置、及び摩擦保持位置に切換えることを可能とし、もって上記した課題を解決したロータリ耕耘装置を提供することを目的とするものである。
【課題を解決するための手段】
【００１０】
前記目的を達成するため、請求項１に係る本発明は、ロータリ耕耘部（１３ａ）の上方を覆う主カバー（１８）と、
該主カバーに揺動自在に連結され前記ロータリ耕耘部（１３ａ）の後方を覆うリヤカバー（２０）と、
前記主カバー（１８）及びリヤカバー（２０）のいずれか一方に連結されると共に他方に摺動自在に支持される吊りロッド（２７）と、を備えてなるロータリ耕耘装置（１）において、
前記吊りロッド（２７）を摺動自在に支持する部分（２５）に配置され、前記リヤカバー（２０）を、上方移動を許容しかつ下方移動を阻止する自動ロック位置（例えば、図４）と、上下方向ともに摺動を阻止する固定位置（例えば、図５）と、前記リヤカバー（２０）の重量が作用する状態では保持しかつ該重量の作用を開放する自由に上下動するフリー状態となる摩擦保持位置（例えば、図３、図６）と、に切換え得るリヤカバー調節手段（３０）を備えた、
ことを特徴とするロータリ耕耘装置にある。
【００１１】
請求項２に係る本発明は、前記ロータリ耕耘部（１３ａ）のトップマスト（９）に操作手段（４０）を設け、該操作手段を前記リヤカバー調節手段（３０）に連動して、前記操作手段（４０）の操作により前記リヤカバー調節手段（３０）を操作してなる、
請求項１記載のロータリ耕耘装置にある。
【００１２】
なお、上記カッコ内の符号は、図面と対照するものであり、これにより特許請求の範囲の記載に何等影響を及ぼすものではない。
【発明の効果】
【００１３】
請求項１に係る本発明によると、リヤカバーに連結された吊りロッドは、リヤカバー調節手段を介して主カバーに支持されているので、リヤカバー調節手段により、リヤカバーを上方移動を許容しかつ下方移動を阻止する自動ロック位置と、上下方向ともに摺動を阻止する固定位置と、前記リヤカバーの重量が作用する状態では保持しかつ該重量の作用を開放すると自由に上下動するフリー状態となる摩擦保持位置と、に切換えることができる。よって、固定位置又は自動ロック位置にあるリヤカバーは、摩擦保持位置を経た後にフリー状態となるので、リヤカバー調節手段を操作するための機構が簡略化できると共に、リヤカバーが不用意に下降することがなくなり、作業の安全性を確保することができる。
【００１４】
請求項２に係る本発明によると、リヤカバー調節手段は、ロータリ耕耘部本体のトップマストに設けた操作手段により操作されるので、例えば、トラクタを操行操舵する作業者が、運転台に居ながら操作手段を操作してリヤカバーの位置を切換えることができる。
【発明を実施するための最良の形態】
【００１５】
以下、図面に沿って、本発明の実施の形態について説明する。ロータリ耕耘装置１は、図１及び図２に示すように、トラクタ（走行機体）２の後方に３点リンク装置３を介して昇降自在に連結される。３点リンク装置３は、２本のロワーリンク３ａと、１本のトップリンク３ｂとを有しており、２本のロワーリンク３ａは、トラクタ機体２の後部左右にピンにて連結されると共に、リフトロッド５を介してリフトアーム６に連結している。またトップリンク３ｂは、トラクタ２の後部中央に設けられたブラケット７に連結されており、これらロワーリンク及びトップリンクのロータリ側は、ヒッチ８に連結されている。上記左右のリフトロッド５の一方は、油圧シリンダ（図示せず）が介在しており、該油圧シリンダの伸縮により、トラクタ２に対してロータリ耕耘装置１を左右方向に揺動自在に制御している。
【００１６】
ロータリ耕耘装置１は、トップマスト９及び伝動ケース１２等からなる耕耘部本体１０を有しており、該耕耘部本体が前記ヒッチ８に装着される。該耕耘部本体１０の伝動装置１２には、トラクタ２のＰＴＯ軸からの出力がヨークを介して入力されており、その動力を、チェーンケース１１内のチェーンを介して耕耘軸１３に動力伝達する。耕耘軸１３には多数の耕耘爪１３ａが取付けられており、これら耕耘爪１３ａの回転によりロータリ耕耘が行われる。また、耕耘部本体１０から後方に延びるアーム１５を介してツールバー１６が配置されており、該ツールバー１６はハンドル１７により高さ調節自在となっている。
【００１７】
前記耕耘機体１０には、上記耕耘爪１３ａの上部を覆うようにロータリ主カバー１８が前後方向調整自在に配置されており、該ロータリ主カバー１８の後部にはリヤカバー２０が横方向（機体左右方向）に延びる軸２１を中心に揺動自在に支持されている。また、前記ロータリ主カバー１８には、耕耘爪１３ａの両側方を覆うようにサイドカバー２２が取付けられている。本ロータリ主カバー１８及びリヤカバー２０の外側における左右２箇所には、それぞれ主カバーブラケット２５及びリヤカバーブラケット２６が固設しており、リヤカバーブラケット２６に枢支されると共に主カバーブラケット２５に摺動自在に吊りロッド２７が配置して、リヤカバー２０を下方、即ち圃場面に向けて押圧する位置、或いは上方の位置に固定することができる。
【００１８】
主カバーブラケット２５には、吊りロッド２７の摺動位置を固定するリヤカバー調節手段３０が設けられており、リヤカバー２０の揺動位置を固定することができる。なお、リヤカバー調節手段３０は、トップマスト９に取付けた操作レバー（操作手段）４０にワイヤ３６を介して連結しており、操作レバーを操作してリヤカバー２０の揺動位置を変更することができる。
【００１９】
ついで、リヤカバー調節手段３０について説明する。リヤカバー調節手段３０は、前記主カバーブラケット２５に、ロータリ耕耘装置２の横方向に向けて穿孔した取付け孔２５ａに、回転自在に挿入されている。リヤカバー調節手段３０は、図３（Ａ）、図４（Ａ）、図５（Ａ）、及び図６（Ａ）に示すように、前記吊りロッド２７を支持するロックケース３１と、該ロックケース内で該ケース軸方向に摺動自在に挿入されたロックピン３２と、ロックピン３２の摺動位置を操作する操作ピン３３とを有している。
【００２０】
ロックケース３１は略円筒状部材であり、一方の端部３１ａが、取付け孔２５ａの一方と位置を合わせて配置している。また、主カバーブラケット２５、２５の間にあるロックケース３１には、径方向に貫通して吊りロッド２７が摺動自在に挿通する吊りロッド挿通孔３１ｂが穿孔している。さらに、ロックケース３１の軸方向には、内径差を設けた貫通孔が形成されており、小径に形成されたロックピン摺動孔３１ｄが前記吊りロッド挿通孔３１ｂと交差する位置に、該ロックピン摺動孔３１ｄよりも大きな内径を有する操作ピン摺動孔３１ｅが、ロックケース３１の他方の端部３１ｃ側に向けて配置している。
【００２１】
ロックピン摺動孔３１ｄには、先端３２ａを前記吊りロッド挿通孔３１ｂの近傍に合わせたロックピン３２が配置している。該ロックピン３２の先端３２ａは傾斜した面に形成されており、ロックピン摺動孔３１ｄを軸方向に移動した際に、吊りロッド挿通孔３１ｂから傾斜面を突出できる。また、ロックピン３２の後端３２ｂは、操作ピン摺動孔３１ｅ内に位置して操作ピン摺動孔３１ｅの内径と略同じ外径の係合突起が形成されており、ロックピン３２に遊嵌するロックピンスプリング３５の一端が当接している。本ロックピンスプリング３５の他端は、操作ピン摺動孔３１ｅとロックピン摺動孔３１ｄとの段差部に当接されて、ロックピン３２を吊りロッド挿通孔３１ｂから離間する方向に付勢している。ロックピン３２の周面には、ロックケース３１に対しロックピン３２の回動を阻止する少なくとも１つの面３２ｃが形成されている。この場合に、面３２ｃと対向するロックピン摺動孔３１ｄ側にも、面３２ｃに摺接する面が形成されている必要があるが、例えば、ロックピン３２及びロックピン摺動孔３１ｄの断面形状を、矩形、或いは楕円形状などの非円形により成形した場合には、ロックケース３１に対してロックピン３２が回動することはないので、面３２ｃを省略することもできる。このように回止めされたロックピン３２は、先端３２ａに形成した傾斜面が一定の向きに保持されながらロックピン摺動孔３１ｄ内を摺動して、前記吊りロッド挿通孔３１ｂから先端３２ａを序々に突出することができる。なお、先端３２ａは、吊りロッド２７の周面に多数個が形成された係合孔２７ａの一つに挿入して、吊りロッド２７の位置を固定できる。
【００２２】
ロックケース３１の操作ピン摺動孔３１ｅに挿入されたロックピン３２の後端３２ｂ側には、操作ピン３３が摺動自在に配置している。操作ピン３３は略円柱状に形成された部材であり、前端側近傍には、径方向に向けて係合突起３３ｃが突設していると共に、後端側３３ｂには、操作レバー４２に連結する操作ワイヤ３６が接続されている。本操作ピン３３には、一端側を係合突起３３ｃに当接し、他端をロックケース３１の端部３１ｃに設けたエンドキャップ３８に当接した操作ピンスプリング３７が遊嵌しており、該操作ピンスプリング３７により、前記ロックピン３２を吊りロッド挿通孔３１ｂの方向に付勢している。なお、操作ピンスプリング３７の付勢力は、前記ロックピンスプリング３５の付勢力に対して強く設定されており、操作ピン３３に操作ワイヤ３６からの力が作用しない場合には、操作ピンスプリング３７がロックピンスプリング３５を圧縮して、操作ピン３３を介してロックピン３２を係合方向に移動することができる。
【００２３】
ついで、上述したリヤカバー調節手段３０を操作する操作手段について説明する。操作手段４０は、図３（Ｂ）、図４（Ｂ）、図５（Ｂ）、及び図６（Ｂ）に示すように、トップマスト９の片側面に固設した操作ケース４１に、操作レバー４２を軸支して構成されている。操作ケース４１は、略矩形に形成された箱型部材であり、一方の側面には、前記リヤカバー調節手段３０と連結する操作ワイヤ３６のワイヤガイド３６ａが長さを調節自在にボルト固定されており、対向する側面近傍には、操作レバー４２を揺動自在に軸支する軸４１ａが設けられている（図３（Ｂ）を参照）。軸４１ａに軸支された操作レバー４２は、軸４１ａを中心に短尺側４２ａと長尺側４２ｂとを有しており、短尺側４２ａには前記操作ワイヤ３６が連結していると共に、長尺側４２ｂには、作業者により掴持されるハンドル部が形成している。この場合に、短尺側４２ａとワイヤ３６との連結は、ワイヤ３６の撓みを吸収できる構造により連結している。また、長尺側４２ｂの略中央部には、操作レバー４２の長手方向に長孔４２ｃが穿孔しており、トップマスト９の一側面に突設した３つの係合ピン９ａ、９ｂ、９ｃと選択的に係合可能となっている。係合ピン９ａ、９ｂ、９ｃは、前記軸４１ａを中心とする同一円周上に配置しており、操作レバー４２を時計回り方向に傾倒して、係合ピン９ａに長孔４２ｃを係合させると、操作ワイヤ３６を最も引出してフリー状態（摩擦保持位置）で固定することができる（図３（Ａ）（Ｂ）を参照）。
【００２４】
摩擦保持位置では、リヤカバー調節手段３０を操作して、操作ピン３３を吊りロッド挿通孔３１ｂから最も離間した位置で保持している。同様に、係合ピン９ｂに長孔４２ｃを係合させると、操作ワイヤ３６は中間位置で固定され、操作ピン３３を吊りロッド挿通孔３１ｂ方向に一段近づけた自動ロック位置で保持できる（図４（Ａ）（Ｂ）を参照）。さらに、係合ピン９ｃに長孔４２ｃを係合させると、操作ワイヤ３６は押出された位置で固定され、操作ピン３３を最も吊りロッド挿通孔３１ｂに近づけた固定位置で保持できる（図５（Ａ）（Ｂ）を参照）。なお、この場合に、係合ピン９ａ、９ｂ、９ｃと操作レバー４２の長孔４２ｃとの係合解除は、操作レバー４２を操作レバー４２の剛性に抗してトップマスト９の一側面から離間する方向に操作して行われる。
【００２５】
ついで、以上の構成によるロータリ耕耘装置の作用について説明する。トラクタ２に連結されたロータリ耕耘装置１は、トラクタ２からの動力を受けた耕耘爪１３ａが回転駆動して圃場面を耕耘する。通常の耕耘作業では、リヤカバー２０が、耕耘爪１３ａの回転により散らされた耕耘土を受け止めて周囲への飛散を防ぎ、また、耕耘により隆起した耕耘土を押圧して、耕耘後の圃場面を均平に仕上げている。畝立て作業など圃場面の均平が必要でない耕耘時には、リヤカバー２０を圃場面から離間した位置で固定して、圃場面を均平せずに耕耘作業が進行する。さらに、耕耘部の清掃や整備作業などでは、リヤカバー２０を持上げた状態で固定される。ロータリ耕耘装置１をトラクタ２から分離して格納庫などに格納する場合には、分離したロータリ耕耘装置本体の転倒を防ぐため、上方位置に固定したリヤカバー２０によりロータリ耕耘装置１の後部側が支持される。
【００２６】
以上のように、各作業状態に応じてリヤカバー２０の位置を切換えるには、操作手段４０に設けた操作レバー４２の傾倒操作により行われる。通常の耕耘作業などにより、リヤカバー２０を下方位置に切換えるには、操作レバー４２を係合ピン９ａのフリー状態（摩擦保持位置）に合わせる（図３（Ａ）（Ｂ））。摩擦保持位置では、操作レバー４２により操作ワイヤ３６が引かれ、操作ワイヤ３６に繋がるリヤカバー調節手段３０の操作ピン３３が操作ピンスプリング３７を圧縮する方向に移動する。操作ピン３３の移動により、操作ピン３３に当接するロックピン３２は、ロックピンスプリング３５の付勢力により操作ピン３３と同一の方向、すなわち、吊りロッド挿通孔３１ｂから離間する方向に移動する。
【００２７】
フリー状態では、ロックピン３２の先端３２ａは吊りロッド挿通孔３１ｂから離間した位置にあるので、吊りロッド２７は吊りロッド挿通孔３１ｂを貫通する方向に自由に移動でき、リヤカバー２０は自重により下方位置に移動する。また、耕耘作業中に、リヤカバー２０が圃場面と接触などして、リヤカバー２０を持上げる方向の力が作用した場合には、吊りロッド２７が吊りロッド挿通孔３１ｂ内を摺動して自由な位置まで移動できる。
【００２８】
次に、リヤカバー２０による耕耘土の均平が必要でない場合には、リヤカバー２０を圃場面から浮かせた状態で耕耘が行われる。本状態に切換えるには、上述した摩擦保持位置にある操作レバー４２を、係合ピン９ｂの自動ロック位置に合わせる（図４（Ａ）（Ｂ））。自動ロック位置では、操作レバー４２により操作ワイヤ３６が一段階押し出され、操作ピンスプリング３７の付勢力により操作ピン３３が吊りロッド挿通孔３１ｂ側に移動する。操作ピン３３の作動により、ロックピンスプリング３５を圧縮してロックピン３２を押し出し、先端３２ａの傾斜面は吊りロッド挿通孔３１ｂに突出した位置で保持される。
【００２９】
自動ロック位置にあるロックピン３２は、操作ピンスプリング３７の付勢力に抗して操作ピン３３を押し戻すことができるので、ロックピン３２の先端３２ａに形成した傾斜面に、吊りロッド２７の係合孔２７ａが当接した際には、傾斜面に作用するロックピン３２の摺動方向に分力された力により、ロックピン３２を吊りロッド挿通孔３１ｂから離間する方向に移動させる。
【００３０】
一方、先端３２ａの傾斜していない部位に係合孔２７ａが当接した際には、ロックピン３２にせん断方向の力を作用させるのみでロックピン３２を摺動させる分力は発生せず、ロックピン３２が吊りロッド挿通孔３１ｂから移動することはない。すなわち、リヤカバー２０を持ち上げるなど、リヤカバー２０に上昇方向力が作用した際には、吊りロッド２７の係合孔２７ａがロックピン３２の先端３２ａ傾斜面に作用して、ロックピン３２を吊りロッド挿通孔３１ｂから離間する方向に移動させて、リヤカバー２０の上方移動が可能となる。逆に、リヤカバー２０の自重などにより、係合孔２７ａがロックピン３２の先端３２ａの傾斜していない面に作用する場合には、ロックピン３２は移動することなく、リヤカバー２０の位置を固定する。以上のように、自動ロック位置では、リヤカバー２０の上方移動を許容するが、下方移動を阻止する状態を形成できる。
【００３１】
次に、リヤカバー２０を圃場面から浮かせた状態で固定して、リヤカバー２０の上下揺動を阻止するには、操作レバー４２を係合ピン９ｃの固定位置に合わせる（図５（Ａ）（Ｂ））。固定位置では、操作レバー４２により操作ワイヤ３６が完全に押し出されて、操作ワイヤ３６に繋がるリヤカバー調節手段３０の操作ピン３３が、操作ピンスプリング３７を伸長する方向に移動する。操作ピン３３の作動により、操作ピン３３に当接するロックピン３２は、ロックピンスプリング３５を圧縮して吊りロッド挿通孔３１ｂから完全に突出し、係合孔２７ａ内に挿入された状態で吊りロッド２７を固定する。固定位置では、ロックピン３２の周面が係合孔２７ａ内に挿入しているので、リヤカバー２０に上下方向の力が加わった場合でも、吊りロッド２７が上下揺動することはなく、リヤカバー２０の位置を固定できる。
【００３２】
なお、摩擦保持位置は、上述した自動ロック位置、又は固定位置にあるリヤカバー２０を、フリー状態に移行させる際にも使用させる（図６（Ａ）（Ｂ））。摩擦保持位置に切換えるには、自動ロック位置、又は固定位置にある操作レバー４２を、係合ピン９ａに合わせる。摩擦保持位置では、操作ワイヤ３６が引き出され、操作ピン３３がフリー状態と同様の作動をするが、ロックピン３２には、吊りロッド２７からの力がせん断方向に作用しているので移動せず、操作ピン３３とロックピン３２は操作ピン３３から離間した位置にある。この状態のロックピン３２には、ロックピンスプリング３５の付勢力が作用しているので、吊りロッド２７からのせん断力が無くなると、ロックピン３２は操作ピン３３と当接する方向に移動してフリー状態に移行する。
【００３３】
すなわち、自動ロック位置、又は固定位置にあるリヤカバー２０を持ち上げるなどして、吊りロッド２７の係合孔２７ａとロックピン３２との係合力を弱めると、ロックピンスプリング３５の付勢力が勝り、ロックピン３２が吊りロッド挿通孔３１ｂから抜け出してフリー状態になる。摩擦保持位置では、操作レバー４２が、操作ピン３３を介して間接的にロックピン３２を抜き出し操作するので、ロックピン３２に係合力が作用している場合であっても容易に操作レバー４２を操作できる。また、操作ピン３３には大きな力が作用しないので、操作レバー４２を簡易な構造、特に操作ワイヤ３６を簡素化することができる。さらに、自動ロック位置又は固定位置からフリー状態へ切換えるには、操作レバー４２を操作しても直ちにリヤカバー２０が移動することはなく、外力、特に、リヤカバー２０を作業者により持ち上げるなどすることによりフリー位置に切換わるので、不用意にリヤカバー２０が作動するなど、リヤカバー２０及びリヤカバー２０の保持構造に過大な力が作用することがなくなる。
【００３４】
最後に、上記に示した本発明による実施の形態は、ロータリ耕耘装置の最良の形態を一実施の形態として記載したものであるが、主カバーブラケット２５に取付けたリヤカバー調節手段３０を、リヤカバーブラケット２６に取り付けることもできる。また、操作手段４０は、例えば特許文献２、及び特許文献３に記載されるように、リヤカバー調節手段３０に直接設けることもできる。さらに、本発明の思想は広く圃場にて使用される農用作業機へ転用可能であることを付言する。
【図面の簡単な説明】
【００３５】
【図１】ロータリ耕耘装置の構成を示す側面図である。
【図２】ロータリ耕耘装置を後方から見た図である。
【図３】フリー位置にあるリヤカバー調節手段の断面を示す図である。
【図４】自動ロック位置にあるリヤカバー調節手段の断面を示す図である。
【図５】固定位置にあるリヤカバー調節手段の断面を示す図である。
【図６】摩擦保持位置にあるリヤカバー調節手段の断面を示す図である。
【符号の説明】
【００３６】
１      ロータリ耕耘装置
１３ａ  ロータリ耕耘部
１８    主カバー
２０    リヤカバー
２５    主カバーブラケット
２７    吊りロッド
３０    リヤカバー調節手段
【図１】
2008043230.tif 000003
【図２】
2008043230.tif 000004
【図３】
2008043230.tif 000005
【図４】
2008043230.tif 000006
【図５】
2008043230.tif 000007
【図６】
2008043230.tif 000008